(57)【要約】      （修正有）【課題】電気料金の変動を利用して追加の収益を稼ぐためにエネルギーを貯蔵するすること（アービトレーション）ができる蒸気発電プラントを運転する方法を提供する。【解決手段】蒸気タービン１１、１２、１３を有する主気水サイクルと、復水器１５と、給水タンク１９とを備え、複数の高圧加熱器２１ａ、２１ｂは給水タンク１９の下流に配置されており、給水タンク１９および複数の高圧加熱器２１ａ、２１ｂは、蒸気タービン１１、１２、１３における複数の抽気系（Ｅ１〜Ｅ７）から蒸気が供給されるとともに、蒸気を受け取るための入力部２７ａおよび蒸気を排出するための出力部２７ｂを有する蒸気貯蔵タンク２７が設けられ、蒸気貯蔵タンク２７の入力部２７ａは高圧蒸気タービン１１における蒸気抽気系Ｅ７に動作可能に接続され、蒸気貯蔵タンク２７の出力部出力部２７ｂは第１の高圧加熱器２１ａに動作可能に接続されることを特徴とする。【選択図】図２
2017133500.tif 000002
【特許請求の範囲】
【請求項１】
蒸気発電プラント（１０ａ、１０ｂ）を運転する方法であって、前記蒸気発電プラントは、
高圧（ＨＰ）蒸気タービン（１１）、
中間圧力（ＩＰ）蒸気タービン（１２）、および
低圧（ＬＰ）蒸気タービン（１３）
を有する主気水サイクルと、
復水器（１５）と、
給水タンク（１９）と
を備え、
複数の低圧加熱器（１８）は前記復水器（１５）と前記給水タンク（１９）の間に配置され、複数の高圧加熱器（２１ａ、２１ｂ）は前記給水タンク（１９）の下流に配置されており、
前記低圧加熱器（１８）、前記給水タンク（１９）、および前記複数の高圧加熱器（２１ａ、２１ｂ）は、前記蒸気タービン（１１、１２、１３）の複数の抽気系（Ｅ１〜Ｅ７）から蒸気が供給されるものであり、
ａ．  蒸気貯蔵手段（２７）を前記蒸気発電プラント（１０ａ、１０ｂ）内に設けるステップと、
ｂ．  前記蒸気発電プラント（１０ａ、１０ｂ）の第１の運転期間中、蒸気を前記蒸気貯蔵手段（２７）に貯蔵するステップと、
ｃ．  前記蒸気タービン（１１、１２、１３）における前記複数の抽気系（Ｅ１〜Ｅ７）から抽出された蒸気を蓄えるために、前記第１の運転期間中に前記蒸気貯蔵手段（２７）に貯蔵された蒸気を、前記蒸気発電プラント（１０ａ、１０ｂ）の第２の運転期間中に、当該主気水サイクルへ排出するステップと
を含む方法。
【請求項２】
前記第１の運転期間中、
前記高圧（ＨＰ）蒸気タービン（１１）から抽出された蒸気は、前記蒸気貯蔵手段（２７）に貯蔵され、
前記複数の高圧加熱器（２１ａ、２１ｂ）のうちの第１の高圧加熱器（２１ａ）は、前記中間圧力（ＩＰ）蒸気タービン（１２）から抽出された蒸気が供給され、
蒸気は、前記蒸気発電プラント（１０ａ、１０ｂ）の前記第２の運転期間中に前記蒸気貯蔵手段（２７）から前記複数の高圧加熱器（２１ａ、２１ｂ）のうちの前記第１の高圧加熱器（２１ａ）の中に排出される、請求項１記載の方法。
【請求項３】
前記第２の運転期間中に前記蒸気貯蔵手段（２７）から前記複数の高圧加熱器（２１ａ、２１ｂ）のうちの前記第１の高圧加熱器（２１ａ）の中に排出された前記蒸気は、前記高圧（ＨＰ）蒸気タービン（１１）から抽出された蒸気で過熱される、請求項２記載の方法。
【請求項４】
前記第２の運転期間中に前記蒸気貯蔵手段（２７）から前記複数の高圧加熱器（２１ａ、２１ｂ）のうちの前記第１の高圧加熱器（２１ａ）の中に排出された前記蒸気は、前記中間圧力（ＩＰ）蒸気タービン（１２）の入口で利用可能である高温再熱蒸気で過熱される、請求項２記載の方法。
【請求項５】
前記第２の運転期間中に前記蒸気貯蔵手段（２７）から前記複数の高圧加熱器（２１ａ、２１ｂ）のうちの前記第１の高圧加熱器（２１ａ）の中に排出された前記蒸気は、前記複数の高圧加熱器（２１ａ、２１ｂ）のうちの前記第１の高圧加熱器（２１ａ）に供給するために前記中間圧力（ＩＰ）蒸気タービン（１２）から抽出される蒸気で過熱される、請求項２記載の方法。
【請求項６】
前記第１の運転期間中、前記高圧（ＨＰ）蒸気タービン（１１）から抽出された蒸気は、前記蒸気貯蔵手段（２７）に貯蔵され、前記給水タンク（１９）は、前記中間圧力（ＩＰ）蒸気タービン（１２）から抽出された蒸気が供給され、蒸気は、前記蒸気発電プラント（１０ａ、１０ｂ）の前記第２の運転期間中に前記蒸気貯蔵手段（２７）から前記給水タンク（１９）の中に排出される、請求項１記載の方法。
【請求項７】
前記蒸気貯蔵手段（２７）から前記給水タンク（１９）の中に排出された前記蒸気は、前記高圧（ＨＰ）蒸気タービン（１１）から抽出された蒸気で過熱される、請求項６記載の方法。
【請求項８】
前記蒸気貯蔵手段（２７）から前記給水タンク（１９）の中に排出された前記蒸気は、前記中間圧力（ＩＰ）蒸気タービン（１２）の入口で利用可能である高温再熱蒸気で過熱される、請求項６記載の方法。
【請求項９】
前記複数の高圧加熱器（２１ａ、２１ｂ）のうちの第１の高圧加熱器（２１ａ）は、前記中間圧力（ＩＰ）蒸気タービン（１２）から抽出された蒸気が供給され、前記蒸気貯蔵手段（２７）から前記給水タンク（１９）の中に排出された前記蒸気は、前記複数の高圧加熱器（２１ａ、２１ｂ）のうちの前記第１の高圧加熱器（２１ａ）に供給するために前記中間圧力（ＩＰ）蒸気タービン（１２）から抽出される蒸気で過熱される、請求項６記載の方法。
【請求項１０】
前記蒸気貯蔵手段（２７）から前記給水タンク（１９）の中に排出された前記蒸気は、前記給水タンク（１９）へ供給されるために前記中間圧力（ＩＰ）蒸気タービン（１２）から抽出された蒸気で過熱される、請求項６記載の方法。
【請求項１１】
前記蒸気貯蔵手段（２７）は、蒸気貯蔵タンクである、請求項１記載の方法。
【請求項１２】
高圧蒸気タービン（１１）、
中間圧力蒸気タービン（１２）、および
低圧蒸気タービン（１３）
を有する気水サイクルと、
復水器（１５）と、
給水タンク（１９）と
を備え、
低圧加熱器（１８）は前記復水器（１５）と前記給水タンク（１９）の間に配置され、第１および第２の高圧加熱器（２１ａ、２１ｂ）は前記給水タンク（１９）の下流に配置されており、前記低圧加熱器（１８）、前記給水タンク（１９）、および前記第１および第２の高圧加熱器（２１ａ、２１ｂ）は、前記蒸気タービン（１１、１２、１３）における複数の抽気系（Ｅ１〜Ｅ７）から蒸気が供給される、
請求項１乃至１１のいずれか１項記載の前記方法を実施するための蒸気発電プラント（１０ａ、１０ｂ）において、
蒸気を受け取るための入力部（２７ａ）および蒸気を排出するための出力部（２７ｂ）を有する蒸気貯蔵手段（２７）が前記蒸気発電プラント（１０ａ、１０ｂ）に設けられ、前記蒸気貯蔵手段（２７）の前記入力部（２７ａ）は前記高圧（ＨＰ）蒸気タービン（１１）における蒸気抽気系（Ｅ７）に動作可能に接続され、前記蒸気貯蔵手段（２７）の前記出力部（２７ｂ）は前記第１の高圧加熱器（２１ａ）または前記給水タンク（１９）に動作可能に接続されることを特徴とする蒸気発電プラント（１０ａ、１０ｂ）。
【請求項１３】
前記蒸気貯蔵手段（２７）は、前記給水タンク（１９）に動作可能に接続される、請求項１２記載の蒸気発電プラント（１０ａ、１０ｂ）。
【請求項１４】
前記高圧（ＨＰ）蒸気タービン（１１）から抽出された蒸気、または前記中間圧力（ＩＰ）蒸気タービン（１２）の入口で利用可能である高温再熱蒸気、または前記複数の高圧加熱器（２１ａ、２１ｂ）のうちの前記第１の高圧加熱器（２１ａ）に供給するために前記中間圧力（ＩＰ）蒸気タービン（１２）から抽出される蒸気で前記蒸気貯蔵手段（２７）から抽出された蒸気を過熱する手段が設けられている、請求項１２または１３記載の蒸気発電プラント（１０ａ、１０ｂ）。
【請求項１５】
前記給水タンク（１９）へ供給されるために前記中間圧力（ＩＰ）蒸気タービン（１２）から抽出された蒸気で前記蒸気貯蔵手段（２７）から抽出された蒸気を過熱する手段が設けられている、請求項１３記載の蒸気発電プラント（１０ａ、１０ｂ）。
【発明の詳細な説明】
【技術分野】
【０００１】
本発明は、蒸気発電プラントに関連する。本発明は、請求項１記載のプリアンブルに記載の蒸気発電プラントを運転する方法に関する。
【０００２】
さらに、本発明は、上記方法を実施するための蒸気発電プラントに関する。
【背景技術】
【０００３】
これまで、所定の運転条件中にエネルギーを使用するためエネルギーを蒸気発電プラントに貯蔵する様々な試みがなされてきた。
【０００４】
文献ＥＰ２３３３２５４Ｂ１は、低負荷時に予熱凝縮液が詰め込まれる熱だめを低圧予熱器通路に並列に有する蒸気動力を示唆する。この予熱凝縮液は、ピーク負荷を発生させるために熱だめから得られ、予熱器通路の下流で復水系統、給水タンクにそれぞれ挿入される。したがって、蒸気発生器のボイラの加熱出力をあまり変更する必要なく広範囲で発電プラントの発電を迅速に制御することが可能である。したがって、本発明により装備された蒸気発電プラントは、より大きい負荷変更で運転することができるとともに、より大きい制御エネルギーを与えることもできる。
【０００５】
文献ＥＰ２５８９７６１Ａ１は、上述のＥＰ２３３３２５４Ｂ１の拡張を説明する。やはり、蒸気発電プラントは、低負荷時に予熱凝縮液が詰め込まれる熱だめを低圧通路に並列に有する。この予熱凝縮液は、ピーク負荷を発生させるために熱だめから得られ、低圧予熱器通路の下流で復水系統、給水タンクにそれぞれ挿入される。さらなる熱交換器が、貯蔵所に送られる熱水の温度を増大させるために設けられる。したがって、蒸気発生器のボイラの加熱出力をあまり変更する必要なく広範囲で発電プラントの発電を迅速に制御することが可能である。したがって、本発明により装備された蒸気発電プラントは、より大きい負荷変更で運転することができるとともに、より大きい制御エネルギーを与えることもできる。
【０００６】
文献ＥＰ２５８９７６０Ａ１は、高圧給水予熱器に並列な熱水エネルギー貯蔵庫を統合することを記載する。この場合、貯蔵庫は、前述のＥＰ２３３３２５４Ｂ１におけるものよりも高い温度および圧力にある。
【０００７】
文献ＤＥ１０２０１２２１３９７６Ａ１は、蒸気タービンの気水回路に接続されたボイラから蒸気流量の一部を外部貯蔵庫の中に抽出することを伴う方法を開示する。蒸気は、外部貯蔵庫から解放され、必要なときに蒸気タービンプロセスへ供給される。蒸気は、発電プラントが部分負荷で運転されるときまたは迅速な電力低減が必要とされるときに、外部貯蔵庫に抽出される。蒸気タービンは変更された可変圧力で運転され、ボイラが蒸気で満たされる一方で、蒸気が外部貯蔵庫から解放される。ここで、放出中、貯蔵庫は、ボイラから蒸気が送り込まれる。
【０００８】
貯蔵庫がまだ設置されていない発電プラントに対して、ＥＰ２３３３２５４Ｂ１およびＥＰ２５８９７６１Ａ１は、最良の解決策を提供する。しかし、発電プラントが、設置された蒸気貯蔵庫をすでに有するが、それをさらなるパワーを供給するためにもっぱら使用するようになっていないときは、既存の蒸気貯蔵庫を異なるやり方で統合することが最も費用効率が高い解決策である。
【０００９】
本発明の目的は、電気料金の変動を利用して追加の収益を稼ぐためにエネルギーを貯蔵すること（アービトレーション）ができる蒸気発電プラントを運転する方法を提供することである。
【００１０】
本発明のさらなる目的は、前記方法を実施するための蒸気発電プラントを提供することである。
【先行技術文献】
【特許文献】
【００１１】
【特許文献１】ＥＰ２５８９７６０Ａ１
【発明の概要】
【課題を解決するための手段】
【００１２】
これらの目的は、請求項１記載の方法、および請求項１２および１３記載の蒸気発電プラントによって達成される。
【００１３】
蒸気発電プラントを運転する本発明の方法は、高圧（ＨＰ：ｈｉｇｈ  ｐｒｅｓｓｕｒｅ）蒸気タービン、中間圧力（ＩＰ：ｉｎｔｅｒｍｅｄｉａｔｅ  ｐｒｅｓｓｕｒｅ）蒸気タービン、および低圧（ＬＰ：ｌｏｗ  ｐｒｅｓｓｕｒｅ）蒸気タービンを有する主気水サイクルと、復水器と、給水タンクとを備え、低圧加熱器は前記復水器と前記給水タンクの間に配置され、複数の高圧加熱器は前記給水タンクの下流に配置されており、前記低圧加熱器、前記給水タンク、および前記複数の高圧加熱器は、前記蒸気タービンにおける複数の抽気系から蒸気が供給される蒸気発電プラントに基づく。
【００１４】
本発明の方法は、（ａ）蒸気貯蔵手段を前記蒸気発電プラント内に設けるステップと、（ｂ）前記蒸気発電プラントの第１の運転期間中、蒸気を前記蒸気貯蔵手段に貯蔵するステップと、（ｃ）前記蒸気タービンにおける前記複数の抽気系から抽出された蒸気を蓄えるために、前記蒸気貯蔵手段に貯蔵された蒸気を、前記蒸気発電プラントの第２の運転期間中に、主気水サイクルへ排出するステップとを含む。
【００１５】
本発明の方法の一実施形態は、前記第１の運転期間中、前記高圧（ＨＰ）蒸気タービンから抽出された蒸気は、前記蒸気貯蔵手段に貯蔵され、前記複数の高圧加熱器のうちの第１の高圧加熱器は、前記中間圧力（ＩＰ）蒸気タービンから抽出された蒸気が供給され、蒸気は、前記蒸気発電プラントの前記第２の運転期間中に前記蒸気貯蔵手段から前記複数の高圧加熱器のうちの前記第１の高圧加熱器の中に排出されることを特徴とする。
【００１６】
前記第２の運転期間中に前記蒸気貯蔵手段から前記複数の高圧加熱器のうちの前記第１の高圧加熱器の中に排出された前記蒸気は、前記高圧（ＨＰ）蒸気タービンから抽出された蒸気で過熱することができる。
【００１７】
代替として、前記第２の運転期間中に前記蒸気貯蔵手段から前記複数の高圧加熱器のうちの前記第１の高圧加熱器の中に排出された前記蒸気は、前記中間圧力（ＩＰ）蒸気タービンの入口で利用可能である高温再熱蒸気で過熱することができる。
【００１８】
代替として、前記第２の運転期間中に前記蒸気貯蔵手段から前記複数の高圧加熱器のうちの前記第１の高圧加熱器の中に排出された前記蒸気は、前記複数の高圧加熱器のうちの前記第１の高圧加熱器に供給するために前記中間圧力（ＩＰ）蒸気タービンから抽出される蒸気で過熱される。
【００１９】
本発明の方法の別の実施形態は、前記第１の運転期間中、前記高圧（ＨＰ）蒸気タービンから抽出された蒸気は、前記蒸気貯蔵手段に貯蔵され、前記給水タンクは、前記中間圧力（ＩＰ）蒸気タービンから抽出された蒸気が供給され、蒸気は、前記蒸気発電プラントの前記第２の運転期間中に前記蒸気貯蔵手段から前記給水タンクの中に排出されることを特徴とする。
【００２０】
前記蒸気貯蔵手段から前記給水タンクの中に排出された前記蒸気は、前記高圧（ＨＰ）蒸気タービンから抽出された蒸気で過熱することができる。
【００２１】
代替として、前記蒸気貯蔵手段から前記給水タンクの中に排出された前記蒸気は、前記中間圧力（ＩＰ）蒸気タービンの入口で利用可能である高温再熱蒸気で過熱することができる。
【００２２】
代替として、前記複数の高圧加熱器のうちの第１の高圧加熱器は、前記中間圧力（ＩＰ）蒸気タービンから抽出された蒸気が供給され、前記蒸気貯蔵手段から前記給水タンクの中に排出された前記蒸気は、前記複数の高圧加熱器のうちの前記第１の高圧加熱器に供給するために前記中間圧力（ＩＰ）蒸気タービンから抽出される蒸気で過熱することができる。
【００２３】
代替として、前記蒸気貯蔵手段から前記給水タンクの中に排出された前記蒸気は、前記給水タンクへ供給されるために前記中間圧力（ＩＰ）蒸気タービンから抽出された蒸気で過熱することができる。
【００２４】
本発明の方法の別の実施形態によれば、前記蒸気貯蔵手段は、蒸気貯蔵タンクである。
【００２５】
本発明の方法を実施するための本発明による蒸気発電プラントは、高圧蒸気タービン、中間圧力蒸気タービン、および低圧蒸気タービンを有する気水サイクルと、復水器と、給水タンクとを備え、低圧加熱器は前記復水器と前記給水タンクの間に配置され、第１および第２の高圧加熱器は前記給水タンクの下流に配置されており、前記低圧加熱器、前記給水タンク、および前記高圧加熱器は前記蒸気タービンにおける複数の抽気系から蒸気が供給される。
【００２６】
蒸気を受け取るための入力部および蒸気を排出するための出力部を有する蒸気貯蔵手段が前記蒸気発電プラントに設けられ、前記蒸気貯蔵手段の前記入力部は前記高圧蒸気タービンにおける蒸気抽気系に動作可能に接続され、前記蒸気貯蔵手段の前記出力部は前記第１の高圧加熱器に動作可能に接続されることを特徴とする。
【００２７】
本発明の方法を実施するための本発明による別の蒸気発電プラントは、高圧蒸気タービン、中間圧力蒸気タービン、および低圧蒸気タービンを有する気水サイクルと、復水器と、給水タンクとを備え、低圧加熱器は前記復水器と前記給水タンクの間に配置され、第１および第２の高圧加熱器は前記給水タンクの下流に配置されており、前記低圧加熱器、前記給水タンク、および前記高圧加熱器は前記蒸気タービンにおける複数の抽気系から蒸気が供給される。
【００２８】
蒸気を受け取るための入力部および蒸気を排出するための出力部を有する蒸気貯蔵手段が前記蒸気発電プラントに設けられ、前記蒸気貯蔵手段の前記入力部は前記高圧（ＨＰ）蒸気タービンにおける蒸気抽気系に動作可能に接続され、前記蒸気貯蔵手段の前記出力部は前記給水タンクに動作可能に接続されることを特徴とする。
【００２９】
特に、前記高圧（ＨＰ）蒸気タービンから抽出された蒸気、または前記中間圧力（ＩＰ）蒸気タービンの入口で利用可能である高温再熱蒸気、または前記高圧加熱器のうちの第１の高圧加熱器に供給するために前記中間圧力（ＩＰ）蒸気タービンから抽出される蒸気で前記蒸気貯蔵手段から抽出された蒸気を加熱する手段を提供することができる。
【００３０】
さらに、前記給水タンクへ供給されるために前記中間圧力（ＩＰ）蒸気タービンから抽出された蒸気で前記蒸気貯蔵手段から抽出された蒸気を過熱する手段を提供することができる。
【００３１】
次に、様々な実施形態によって、添付図面を参照して、本発明をより詳細に説明する。
【図面の簡単な説明】
【００３２】
【図１】従来技術の基本的な気水サイクルの構成を示す図である。
【図２】本発明の一実施形態による図１に示されるような気水サイクルの構成における高圧加熱器での蒸気貯蔵の統合を示す図である。
【図３】本発明の別の実施形態による図１に示されるような気水サイクルの構成における給水タンクでの蒸気貯蔵の統合を示す図である。
【発明を実施するための形態】
【００３３】
主目的は、熱エネルギー貯蔵（蒸気貯蔵）を蒸気発電プラントに統合することである。蒸気貯蔵手段またはタンクの放出中、蒸気は、抽気系蒸気を蓄えるために主気水サイクルへ送られる。こうすることによって、プラントのパワー出力を増大させることができる。
【００３４】
この基礎は、図１に示した従来技術の蒸気発電プラントである。図１の蒸気発電プラント１０は、高圧（ＨＰ）蒸気タービン１１と、中間圧力（ＩＰ）蒸気タービン１２と、低圧（ＬＰ）蒸気タービン１３とを備え、これらが発電機１４を駆動する。長寿命な蒸気２５は、図示されていないボイラ（または排熱回収蒸気発生器ＨＲＳＧ：ｈｅａｔ  ｒｅｃｏｖｅｒｙ  ｓｔｅａｍ  ｇｅｎｅｒａｔｏｒ）から高圧蒸気タービンへ供給される。高圧蒸気タービン１１内で膨張後、蒸気は、ボイラの低温再熱２４へ戻される。次いで、ボイラからの高温再熱２６の蒸気は中間圧力（ＩＰ）蒸気タービン１２へ供給され、その出口は低圧（ＬＰ）蒸気タービン１３の入口に接続されている。
【００３５】
低圧（ＬＰ）蒸気タービン１３からの蒸気は、復水器１５に流れ込む。その結果生じる復水は、復水ポンプ１６によって熱交換器１７および一連の低圧加熱器（ＬＰＨ：ｌｏｗ  ｐｒｅｓｓｕｒｅ  ｈｅａｔｅｒ）１８を通じて給水タンク１９へ汲み出される。給水タンク１９から、給水ポンプ２０は、給水を高圧加熱器（ＨＰＨ：ｈｉｇｈ  ｐｒｅｓｓｕｒｅ  ｈｅａｔｅｒ）２１ａおよび２１ｂならびに過熱低減器（ＤｅＳＨ：ＤｅＳｕｐｅｒＨｅａｔｅｒ）２２を通じてボイラ／排熱回収蒸気発生器（図示せず）のエコノマイザ２３へ汲み出す。
【００３６】
低圧加熱器１８は、低圧蒸気タービン１３および中間圧力蒸気タービン１２の様々な個所（抽気系Ｅ１からＥ４）で抽出された蒸気が供給される。給水タンク１９は、中間圧力蒸気タービン１２の抽気系Ｅ５から蒸気を受け取り、一方、第１の高圧加熱器２１ａおよび過熱低減器２２は、中間圧力蒸気タービン１２の抽気系Ｅ６に接続される。第２の高圧加熱器２１ｂは、蒸気を抽気系Ｅ７から受け取る、すなわち高圧蒸気タービン１１の出口から直接受け取る。
【００３７】
ＨＰ抽気は、図１の図面に示されていないが、可能であり得る。
【００３８】
ここで、概して、抽気蒸気の圧力が高いほど、蒸気が「仕事」を送り届けることができる蒸気タービン内の経路は長くなる。質量流量が同様ならば、これは真である。しかし、蒸気貯蔵に関しては、最小圧力が低いほど、より多くの質量を貯蔵庫から抽出することができ、したがって、下段における蒸気貯蔵の統合は、よりいっそう高い電力出力の増加となり得る。
【００３９】
最大貯蔵圧力が２４において低温再熱（ＣＲＨ：ｃｏｌｄ  ｒｅｈｅａｔ）圧力である場合、貯蔵庫から蒸気を抽出するときに圧力が減少すると、貯蔵庫は（図１中の）第２の高圧加熱器２１ｂに接続することができる。したがって、降順に第１の可能な給水予熱器は、第１の高圧加熱器２１ａである。いくつかの高圧給水予熱器がある場合、貯蔵庫は、貯蔵圧力より低い圧力を有するそれらのいずれかに接続することができる。
【００４０】
過熱蒸気の源に応じて、貯蔵庫からの蒸気圧は、（システム内の圧力降下に応じて）元の抽気圧よりも低いほんのわずかなものであることが生じ得る。
【００４１】
ここで、図２は、貯蔵タンク２７を有する蒸気貯蔵手段が高圧加熱器２１ａで統合される本発明の一実施形態を示す。
【００４２】
この高圧加熱器２１ａがＩＰ蒸気タービン１２（抽気系Ｅ６）に接続される場合、それは、２４において高温（約４００℃以上）および低温再熱圧力よりも低い圧力（約２５バール）を有する。
【００４３】
貯蔵タンク２７からの蒸気を過熱するには様々なやり方がある。
【００４４】
第１の過熱オプション２９（弁３０）によれば、貯蔵タンク２７からの蒸気は、高圧蒸気タービン１１の出口からの低温再熱２４で過熱することができる。
【００４５】
第２の過熱オプション３１（弁３２）によれば、貯蔵タンク２７からの蒸気は、高温再熱２６、すなわち中間圧力蒸気タービン１２の入口へ供給される蒸気で過熱することができる。
【００４６】
第３の過熱オプション３３（弁３４）によれば、貯蔵タンク２７からの蒸気は、中間圧力蒸気タービン１２における抽気系Ｅ６から高圧加熱器２１ａへの蒸気で過熱することができる。さらなる弁２８、３５、および３６は、上記の機能を完全なものにするために設けられている。
【００４７】
蒸気の過熱度がむしろ低い場合、上記高圧予熱器２１ａの過熱低減器２２をシャットオフし、貯蔵タンク２７からの蒸気を直接復水部に導入することは結局理に適っている。過熱低減器２２と復水部（弁３５）の間に逆止め弁がない場合、それは、装置が改良されなければならない。第３の過熱オプション３３は、上述した３つの過熱の変形例のうち最高の貯蔵効率を有する。
【００４８】
さらに、スロットル弁（弁２８）は、高圧加熱器２１ａの圧力に対して圧力を制御する。
【００４９】
図３には本発明の別の実施形態が示されている。図３によれば、貯蔵タンク２７を有する蒸気貯蔵手段は、給水タンク１９において統合される。約１０バールの圧力レベルにある給水タンク１９において貯蔵タンク２７からの蒸気を統合するとき、より多くの蒸気が貯蔵タンク２７から抽出され得る。貯蔵タンク２７の下流のスロットル弁２８は、やはり必要である。
【００５０】
貯蔵蒸気を過熱するために、上述した３つの過熱オプションが可能である。
【００５１】
給水タンク１９の抽気系Ｅ５からの上記を用いる第４のオプション３９も可能である。この解決策は、より大きい電力の増加をもたらすが、高圧加熱器２１ａにおいて統合するときよりも貯蔵効率がわずかに落ちる。スロットル弁２８は、給水タンク圧力に対して圧力を制御する。停止弁３８が閉鎖されている場合、元の抽気系蒸気の流れは、給水タンク１９に入ることができない。弁３７および４０は、上記の機能を完全なものにするために設けられている。
【００５２】
本開示は、最も実際的な例示実施形態であると考えるもので本明細書中の図示および説明されてきたが、本開示は、他の特定の形態で具体化されてもよい。例えば、例示的な発電プラントは、２つの低圧加熱器、および／または低い抽気系に接続された給水タンク、および／または２つ以上の高圧加熱器を有するだけでもよい。したがって、本開示の実施形態は、全ての例示的態様において例示的であるとともに限定ではないと考えられる。本開示の範囲は、前述の明細書ではなく添付の特許請求の範囲によって示され、特許請求の範囲の意味および範囲の内に入る全ての変更およびその均等物は、本明細書の範囲内に含まれるものとする。
【符号の説明】
【００５３】
１０  蒸気発電プラント
１０ａ、ｂ  蒸気発電プラント
１１  高圧（ＨＰ）蒸気タービン
１２  中間圧力（ＩＰ）蒸気タービン
１３  低圧（ＬＰ）蒸気タービン
１４  発電機
１５  復水器
１６  復水ポンプ
１７  熱交換器
１８  低圧加熱器（ＬＰＨ）
１９  給水タンク
２０  給水ポンプ
２１ａ、ｂ  高圧加熱器（ＨＰＨ）
２２  過熱低減器（ＤｅＳＨ）
２３  エコノマイザ（へ）
２４  低温再熱（へ）
２５  長寿命な蒸気（から）
２６  高温再熱（から）
２７  蒸気貯蔵タンク
２７ａ  入力部（蒸気貯蔵タンク）
２７ｂ  出力部（蒸気貯蔵タンク）
２８、３０、３２  弁
２９、３１、３３、３９  過熱（ＳＨ）オプション
３４〜３８、４０  弁
Ｅ１〜Ｅ７  （蒸気の）抽気系
【図１】
2017133500.tif 000003
【図２】
2017133500.tif 000004
【図３】
2017133500.tif 000005
【外国語明細書】
2017133500000001.pdf